(57)【特許請求の範囲】
【請求項１】
無線通信手段を有する腕装着型端末と、
無線通信手段を有し音声データを無線により送受信して音声の入出力を行うヘッドセットと、
基地局との交信を行う第１無線通信手段、および、前記腕装着型端末と前記ヘッドセットの各無線通信手段と通信を行う第２無線通信手段を有する携帯電話機とを備えた電子システムにおいて、
前記携帯電話機は、
前記第１無線通信手段を介して電子メールを受信するメール受信手段と、
受信した電子メールの情報を、前記第２無線通信手段を介して前記腕装着型端末に送信するメール情報送信手段と、
前記メール受信手段により受信した電子メールの情報からこの電子メールのメール文を読み上げる音声データを生成するメール読上げ手段とを備え、
前記腕装着型端末は、
前記無線通信手段を介した前記携帯電話機へのコマンド送信によって、前記携帯電話機に前記ヘッドセットとの無線通信リンクを確立させる処理を実行させるリンク要求手段と、
前記携帯電話機から電子メールの情報が送られた場合にこの電子メールの内容を表示出力するメール表示手段と、
外部からのメール読上げの操作入力を受けた場合に前記携帯電話機にメール読上げ要求のコマンドを送信するメール読上げ要求手段とを備え、
前記腕装着型端末に電子メールの内容が表示出力され、前記腕装着型端末から前記携帯電話機にメール読上げ要求がなされたら、前記携帯電話機から前記ヘッドセットへ前記電子メールを読上げる音声データが送られて、前記ヘッドセットにおいてこの電子メールを読み上げる音声出力がなされることを特徴とする電子システム。
【請求項２】
無線通信手段を有する腕装着型端末と、
無線通信手段を有し音声データを無線により送受信して音声の入出力を行うヘッドセットと、
基地局との交信を行う第１無線通信手段、および、前記腕装着型端末と前記ヘッドセットの各無線通信手段と通信を行う第２無線通信手段を有する携帯電話機とを備えた電子システムにおいて、
前記携帯電話機は、
当該携帯電話機と前記ヘッドセットとの無線通信リンクが確立しているか否かを示すリンク有無情報を、前記第２無線通信手段を介して前記腕装着型端末に送信するリンク情報送信手段と、
前記第１無線通信手段を介して電子メールを受信するメール受信手段と、
受信した電子メールの情報を、前記第２無線通信手段を介して前記腕装着型端末に送信するメール情報送信手段と、
前記メール受信手段により受信した電子メールの情報からこの電子メールのメール文を読み上げる音声データを生成するメール読上げ手段とを備え、
前記腕装着型端末は、
前記リンク有無情報を受信した場合にこのリンク有無情報に基づいて前記携帯電話機と前記ヘッドセットとの無線通信リンクの状態をユーザに通知するリンク状態通知手段と、
前記携帯電話機から電子メールの情報が送られた場合にこの電子メールの内容を表示出力するメール表示手段と、
外部からのメール読上げの操作入力を受けた場合に前記携帯電話機にメール読上げ要求のコマンドを送信するメール読上げ要求手段とを備え、
前記腕装着型端末に電子メールの内容が表示出力され、前記腕装着型端末から前記携帯電話機にメール読上げ要求がなされたら、前記携帯電話機から前記ヘッドセットへ前記電子メールを読上げる音声データが送られて、前記ヘッドセットにおいてこの電子メールを読み上げる音声出力がなされることを特徴とする電子システム。
【請求項３】
ヘッドセットとの無線通信機能を有する携帯電話機に対して当該無線通信機能を介して無線通信を可能とする無線通信手段と、
前記無線通信手段を介した前記携帯電話機へのコマンド送信によって、前記携帯電話機に前記ヘッドセットとの無線通信リンクを確立させる処理を実行させるリンク要求手段と、
前記携帯電話機から前記無線通信手段を介して電子メールの情報が送られた場合にこの電子メールの内容を表示出力するメール表示手段と、
外部からのメール読上げの操作入力を受けた場合に、前記無線通信手段を介して前記携帯電話機に、前記電子メールの内容を前記ヘッドセットから音声出力させるためのメール読上げ要求コマンドを送信するメール読上げ要求手段と、
を備えていることを特徴とする腕装着型端末。
【請求項４】
ヘッドセットとの無線通信機能を有する携帯電話機に対して当該無線通信機能を介して無線通信を可能とする無線通信手段と、
前記携帯電話機と前記ヘッドセットとの無線通信リンクが確立しているか否かを示すリンク有無情報を、前記無線通信手段を介して前記携帯電話機から受信した場合に、このリンク有無情報に基づいて前記携帯電話機と前記ヘッドセットとの無線通信リンクの状態をユーザに通知するリンク状態通知手段と、
前記携帯電話機から前記無線通信手段を介して電子メールの情報が送られた場合にこの電子メールの内容を表示出力するメール表示手段と、
外部からのメール読上げの操作入力を受けた場合に、前記無線通信手段を介して前記携帯電話機に、前記電子メールの内容を前記ヘッドセットから音声出力させるためのメール読上げ要求コマンドを送信するメール読上げ要求手段と、
を備えていることを特徴とする腕装着型端末。
【発明の詳細な説明】
【技術分野】
【０００１】
この発明は、無線通信手段を介して携帯電話機、ヘッドセット、および、腕装着型端末を相互に無線接続してなる電子システム、並びに、携帯電話機、ヘッドセットとの間で通信可能な腕装着型端末に関する。
【背景技術】
【０００２】
従来、携帯電話と、腕時計などの腕装着型端末とを、ブルートゥース（Ｂｌｕｅｔｏｏｔｈ：登録商標）通信などの短距離無線通信によりデータ通信可能な構成とし、携帯電話に通話着信やメール着信などがあった場合に、この着信情報を携帯電話から腕装着型端末に送信するとともに、腕装着端末を振動させて着信の情報をユーザに知らせるようにしたシステムが開発されている（例えば特許文献１）。
【０００３】
また、携帯電話とヘッドセットとを短距離無線通信によりデータ通信可能な構成とし、携帯電話での通話を、ヘッドセットを介して行うようにしたシステムも実用化されている。
【０００４】
また、本発明に関連する従来技術として、携帯電話とヘッドセットならびに携帯電話と腕時計とをそれぞれ短距離無線通信によってデータ通信可能とした構成も提案されている（例えば特許文献２）。
【特許文献１】特開２００２−３３５５６７号公報
【特許文献２】国際公開第０１／０９９３９３号パンフレット
【発明の開示】
【発明が解決しようとする課題】
【０００５】
例えば、ヘッドセットは小型電池を駆動源とすることから、使用していないときには電源を切っておき使用するときだけ電源を入れるようにされることがある。このような使用形態の場合、従来のシステムでは、ヘッドセットの電源を付けた後に、携帯電話を操作して携帯電話とヘッドセットとの通信リンクを確立する処理を行う必要があった。
【０００６】
しかしながら、ヘッドセットが使用される状況は、携帯電話がカバン等にしまわれていたり、携帯電話を手に持つことができないような状況となったりすることが多いので、上記のような通信リンクを確立させる処理はユーザにとって煩雑な処理となることが多い。
【０００７】
また、ヘッドセットの電源を頻繁にオン・オフするような場合には、現在、携帯電話とヘッドセットとの通信リンクが確立した状態にあるのか否か、ユーザが忘れてしまうことも多々生じる。従来のシステムでは、このような場合に携帯電話を操作して通信リンクが確立しているか確認するしかなかった。
【０００８】
この発明の目的は、携帯電話の操作が困難な状況においても、ヘッドセットを有効に利用することのできる電子システムおよび腕装着型端末を提供することにある。
【課題を解決するための手段】
【０００９】
上記目的を達成するため、請求項１記載の発明は、
無線通信手段を有する腕装着型端末と、
無線通信手段を有し音声データを無線により送受信して音声の入出力を行うヘッドセットと、
基地局との交信を行う第１無線通信手段、および、前記腕装着型端末と前記ヘッドセットの各無線通信手段と通信を行う第２無線通信手段を有する携帯電話機とを備えた電子システムにおいて、
前記携帯電話機は、
前記第１無線通信手段を介して電子メールを受信するメール受信手段と、
受信した電子メールの情報を、前記第２無線通信手段を介して前記腕装着型端末に送信するメール情報送信手段と、
前記メール受信手段により受信した電子メールの情報からこの電子メールのメール文を読み上げる音声データを生成するメール読上げ手段とを備え、
前記腕装着型端末は、
前記無線通信手段を介した前記携帯電話機へのコマンド送信によって、前記携帯電話機に前記ヘッドセットとの無線通信リンクを確立させる処理を実行させるリンク要求手段と、
前記携帯電話機から電子メールの情報が送られた場合にこの電子メールの内容を表示出力するメール表示手段と、
外部からのメール読上げの操作入力を受けた場合に前記携帯電話機にメール読上げ要求のコマンドを送信するメール読上げ要求手段とを備え、
前記腕装着型端末に電子メールの内容が表示出力され、前記腕装着型端末から前記携帯電話機にメール読上げ要求がなされたら、前記携帯電話機から前記ヘッドセットへ前記電子メールを読上げる音声データが送られて、前記ヘッドセットにおいてこの電子メールを読み上げる音声出力がなされることを特徴としている。
【００１０】
請求項２記載の発明は、
無線通信手段を有する腕装着型端末と、
無線通信手段を有し音声データを無線により送受信して音声の入出力を行うヘッドセットと、
基地局との交信を行う第１無線通信手段、および、前記腕装着型端末と前記ヘッドセットの各無線通信手段と通信を行う第２無線通信手段を有する携帯電話機とを備えた電子システムにおいて、
前記携帯電話機は、
当該携帯電話機と前記ヘッドセットとの無線通信リンクが確立しているか否かを示すリンク有無情報を、前記第２無線通信手段を介して前記腕装着型端末に送信するリンク情報送信手段と、
前記第１無線通信手段を介して電子メールを受信するメール受信手段と、
受信した電子メールの情報を、前記第２無線通信手段を介して前記腕装着型端末に送信するメール情報送信手段と、
前記メール受信手段により受信した電子メールの情報からこの電子メールのメール文を読み上げる音声データを生成するメール読上げ手段とを備え、
前記腕装着型端末は、
前記リンク有無情報を受信した場合にこのリンク有無情報に基づいて前記携帯電話機と前記ヘッドセットとの無線通信リンクの状態をユーザに通知するリンク状態通知手段と、
前記携帯電話機から電子メールの情報が送られた場合にこの電子メールの内容を表示出力するメール表示手段と、
外部からのメール読上げの操作入力を受けた場合に前記携帯電話機にメール読上げ要求のコマンドを送信するメール読上げ要求手段とを備え、
前記腕装着型端末に電子メールの内容が表示出力され、前記腕装着型端末から前記携帯電話機にメール読上げ要求がなされたら、前記携帯電話機から前記ヘッドセットへ前記電子メールを読上げる音声データが送られて、前記ヘッドセットにおいてこの電子メールを読み上げる音声出力がなされることを特徴としている。
【００１２】
請求項３記載の発明は、
ヘッドセットとの無線通信機能を有する携帯電話機に対して当該無線通信機能を介して無線通信を可能とする無線通信手段と、
前記無線通信手段を介した前記携帯電話機へのコマンド送信によって、前記携帯電話機に前記ヘッドセットとの無線通信リンクを確立させる処理を実行させるリンク要求手段と、
前記携帯電話機から前記無線通信手段を介して電子メールの情報が送られた場合にこの電子メールの内容を表示出力するメール表示手段と、
外部からのメール読上げの操作入力を受けた場合に、前記無線通信手段を介して前記携帯電話機に、前記電子メールの内容を前記ヘッドセットから音声出力させるためのメール読上げ要求コマンドを送信するメール読上げ要求手段と、
を備えていることを特徴としている。
【００１３】
請求項４記載の発明は、
ヘッドセットとの無線通信機能を有する携帯電話機に対して当該無線通信機能を介して無線通信を可能とする無線通信手段と、
前記携帯電話機と前記ヘッドセットとの無線通信リンクが確立しているか否かを示すリンク有無情報を、前記無線通信手段を介して前記携帯電話機から受信した場合に、このリンク有無情報に基づいて前記携帯電話機と前記ヘッドセットとの無線通信リンクの状態をユーザに通知するリンク状態通知手段と、
前記携帯電話機から前記無線通信手段を介して電子メールの情報が送られた場合にこの電子メールの内容を表示出力するメール表示手段と、
外部からのメール読上げの操作入力を受けた場合に、前記無線通信手段を介して前記携帯電話機に、前記電子メールの内容を前記ヘッドセットから音声出力させるためのメール読上げ要求コマンドを送信するメール読上げ要求手段と、
を備えていることを特徴としている。
【発明の効果】
【００１６】
本発明に従うと、腕装着型端末のリンク要求手段を利用することで、携帯電話を操作することなく携帯電話とヘッドセットとの通信リンクを確立させることができる。
また、腕装着型端末のリンク状態通知手段を利用することで、携帯電話を操作することなく携帯電話とヘッドセットの通信リンク状態を確認することができる。従って、例えば、携帯電話をカバン等にしまい込んでいたり、携帯電話を手に取れないような状況であっても、ヘッドセットと腕装着型端末を身に付けていれば、携帯電話とヘッドセットとの通信リンクを確立させてヘッドセットを介して携帯電話での通話を可能としたり、ヘッドセットと携帯電話とが現在リンクされているか否かを容易に確認することができる。
【発明を実施するための最良の形態】
【００１７】
以下、本発明の実施の形態を図面に基づいて説明する。
【００１８】
図１は、本発明の実施形態に係る携帯電話機と腕時計とヘッドセットの各内部構成を示すブロック図である。
【００１９】
この実施形態の電子システムは、音声の入出力機能を有するヘッドセット１０と、基地局との無線通信により通話や電子メールの送受信が可能な携帯電話３０と、腕装着型端末としての電子式腕時計５０とから構成される。
【００２０】
ヘッドセット１０は、ユーザの例えば頭や耳などに固定して使用する小型の機器であり、短距離無線通信により音声データの送受信を行って、マイク入力したユーザの音声を通信相手へ携帯電話３０を介して送信したり、通信相手から受信した音声データに基づいて音声出力を行ったりするものである。
ヘッドセット１０には、図１に示すように、通信制御等を行うマイクロコンピュータ１１と、アンテナＡＮ１を介して短距離無線信号の送受信処理を行うＲＦ回路１２と、送受信するベースバンド信号に対してデータ処理を行うベースバンド回路１３と、送受信される音声のコード化処理やデコード処理を行う音声コーデック１４と、音声信号の入出力処理を行う音声インターフェース１５と、音声出力を行うヘッドフォン１６と、音声入力を行うマイク１７と、電源電圧を供給する電池１８と、電池１８と各部との接続・切断を切り換える電源スイッチ１９などが設けられている。
【００２１】
携帯電話３０は、基地局７０との無線通信により通話や電子メールの送受信を行う機能に加えて、例えば短距離無線通信によりヘッドセット１０や腕時計５０と無線通信を行ってヘッドセット１０との間で音声の送受信を行ったり、腕時計５０との間で様々な連携動作を行う機能を有するものである。
携帯電話３０は、図１に示すように、機器全体の動作制御を行うマイクロコンピュータ３１と、電話機能やメール機能など種々の機能に関わる表示出力を行う表示部３２と、マイクロコンピュータ３１からの表示データに基づき表示部３２を駆動する表示ドライバ３３と、制御プログラムや設定データを格納する不揮発性メモリ３４と、短距離通信用の通信データのデータ処理を行うベースバンド回路３５と、通信データと無線信号とを相互変換してアンテナＡＮ３を介して送受信する短距離無線用ＲＦ回路３６と、アンテナＡＮ２を介して基地局７０と無線信号の送受信を行う対基地局用ＲＦ回路３７と、基地局７０に送受信する通信データのデータ処理を行うベースバンド回路３８と、音声のコード化処理やデコード処理を行う音声コーデック３９と、音声信号の入出力を行う音声インターフェース４０と、音声出力を行うスピーカ４１と、音声入力を行うマイク４２と、ユーザからの操作入力を受ける操作部４３等が設けられている。
【００２２】
腕時計５０は、時刻の計時やその表示を行う時計機能に加え、例えば短距離無線通信により携帯電話３０と無線通信を行って様々な連携動作を行う機能を有するものである。
この腕時計５０には、機器の全体的な制御を行うマイクロコンピュータ５１と、時刻の計時を行う計時回路５２と、計時回路５２に一定の周波数信号を供給する発振回路５３と、アンテナＡＮ４を介して短距離無線通信の信号の送受信を行うＲＦ回路５６と、ＲＦ回路５６により送受信される通信データのデータ処理を行うベースバンド回路５７と、時刻表示やその他の機能表示を行う液晶パネルなどの表示部５４と、マイクロコンピュータ５１から出力された表示データに基づいて表示部５４を駆動する表示ドライバ５５と、マイクロコンピュータ５１のＣＰＵが実行する制御プログラムや制御データが格納される不揮発性メモリ５８と、ユーザからの操作入力を受ける操作部５９と、例えば発光出力、振動、音出力などによりユーザに報知を行う報知部６０と、この報知部６０をマイクロコンピュータ５１からの信号により駆動するドライバ６１等が設けられている。
【００２３】
上記のヘッドセット１０、携帯電話３０、および腕時計５０は、それぞれ短距離無線通信を介して同一の通信ネットワークに接続可能なように構成されている。通信ネットワークの構成は、例えば、携帯電話３０がネットワークへのゲートウェイとなって、この携帯電話３０を中心にヘッドセット１０と腕時計５０とが通信ネットワークにマルチ接続する構成とされる。例えば、ブルートゥース（Ｂｌｕｅｔｏｏｔｈ：登録商標）のピコネット接続において、携帯電話３０をマスター、ヘッドセット１０と腕時計５０とをスレーブとした接続形態である。
【００２４】
このような接続形態においては、ヘッドセット１０の電源が切られてヘッドセット１０が通信ネットワークから切断されても、携帯電話３０と腕時計５０とで通信ネットワークが構成されて両者間でデータ通信が可能とされる。また、腕時計５０が通信ネットワークから切断された場合でも、携帯電話３０とヘッドセット１０により通信ネットワークを構成して両者間で音声データのやり取りが可能とされる。このような通信ネットワークに接続されてデータ通信可能な状態を、通信リンクが確立した状態と呼ぶ。
【００２５】
図２には、腕時計５０の記憶部に格納されるデータの一部を表わしたデータ構成図を示す。
【００２６】
腕時計５０に備わる記憶部（不揮発性メモリ５８や、マイクロコンピュータ５１の内部に設けられるＲＡＭ５１ｂ等）には、次のようなデータが格納されるようになっている。
すなわち、不揮発性メモリ５８のデータ格納領域５８ａ，５８ｂには、通信ネットワークに接続する予定の１個又は複数個のヘッドセット（例えば第１ヘッドセット「ＨＳ１」や第２ヘッドセット「ＨＳ２」など）のデバイス識別子（例えばデバイス毎に一意に付加されたデバイスアドレス）が格納され、ＲＡＭ５１ｂのデータ格納領域５１ｂａ，５１ｂｂには、上記１個又は複数個のヘッドセットが通信ネットワークに接続されているか否かを示す接続フラグが格納されるようになっている。
【００２７】
格納領域５８ａ，５８ｂに格納されるデバイスアドレスは、たとえば、腕時計５０の操作部５９の操作入力によりユーザが設定入力したり、或いは、別のコンピュータや携帯電話３０から短距離無線通信を介したデータ通信によりユーザが設定入力したりする。また、格納領域５１ｂａ，５１ｂｂの接続フラグはマイクロコンピュータ５１のＣＰＵが内部情報として設定するものである。
【００２８】
その他、腕時計５０の記憶部、ヘッドセット１０の記憶部、携帯電話３０の記憶部には、通信ネットワークに接続してデータ通信を行うための認証情報や暗号キーなどの情報が予め設定されている。
【００２９】
次に、上記のように構成される電子システムの３つの動作例について説明する。
【００３０】
［第１の動作例］
図３には、腕時計５０の操作によって携帯電話３０とヘッドセット１０との通信リンクを確立して通話を行う処理の流れを表わしたシーケンス図を示す。
【００３１】
第１の動作例は、先ず、携帯電話３０と腕時計５０との通信リンクが確立され（状態Ｓ１）、第１ヘッドセット（ＨＳ１）１０がこの通信ネットワークに加わっていない状態を初期状態としている。このような状態においては、携帯電話３０は、新たな機器を通信ネットワークへ参加させるための呼び出し処理や、通信ネットワークに参加可能な機器の検索処理を自動的に実行することはせず、操作部４３を介した操作入力やデータ通信によってこれらの処理の実行要求がなされた場合のみ、上記のような呼び出し処理や検索処理を実行するようになっている。このような設定により消費電力の低減が図られている。
【００３２】
ここで、ユーザが、ヘッドセット１０を通信ネットワークへ参加させるためにその電源スイッチ１９をオン操作すると（ステップＪ１）、ヘッドセット１０のマイクロコンピュータ１１が動作して、短距離無線通信を介して通信ネットワークへの呼び出しがないか検索する処理が実行される（ステップＪ２）。
【００３３】
この状態においては、ユーザが携帯電話３０を操作してヘッドセット１０を通信ネットワークへ参加させるための呼び出し処理を実行させることもできる。しかしながら、例えば、携帯電話３０がカバンなどにしまわれている場合や、携帯電話３０を手に持てる状態にない場合など、そのような操作が困難なときがある。そこで、この実施形態では、ユーザが携帯電話３０を操作することなく、腕時計５０を操作するだけで、ヘッドセット１０を通信ネットワークへ参加させることが可能になっている。
【００３４】
すなわち、ユーザは、携帯電話３０の操作が困難な場合に、腕時計５０の操作部５９を操作して腕時計５０に予め登録されている例えば第１ヘッドセット１０を通信ネットワークへ参加させるための接続操作を行う（ステップＪ３）。すると、腕時計５０から携帯電話３０へ、呼び出しコマンドと、指定した第１ヘッドセット１０の識別子（例えばデバイスアドレスＡ）とからなる情報Ｐ０が短距離無線通信を介して送信される。この処理によりリンク要求手段が構成される。
【００３５】
携帯電話３０は、上記の呼び出しコマンドとデバイスアドレスＡの情報Ｐ０を受信すると、これらに基づきデバイスアドレスＡの機器を通信ネットワークへ参加させるための呼び出し処理を開始する（ステップＪ４）。呼び出し処理は、携帯電話３０が短距離無線通信により例えばブロードキャストを行ってデバイスアドレスＡの機器に接続要求を行うことで実現される。
【００３６】
一方、ヘッドセット１０は、このとき呼び出しの検索処理を行っているので、携帯電話３０からの接続要求を受信して、これに対して応答処理を行う。そして、両者間で接続認証の処理等が行われて、ヘッドセット１０が通信ネットワークへ接続された状態となる（状態Ｓ２）。なお、ステップＪ３の接続操作を最初に行って、その後に、ステップＪ１のヘッドセット１０の電源オン操作を行った場合でも、同様に携帯電話３０とヘッドセット１０とで接続処理が行われてヘッドセット１０を通信ネットワークへ接続させることができる。
【００３７】
ヘッドセット１０が通信ネットワークに接続されたら、次いで、携帯電話３０から腕時計５０に第１ヘッドセット１０（ＨＳ１）が接続したことを示すＨＳ１接続通知Ｐ１の送信がなされる。腕時計５０にＨＳ１接続通知Ｐ１が受信されると、この接続通知Ｐ１に受信に基づき、腕時計５０のマイクロコンピュータ５１が制御動作を行って、報知部６０により振動、ビープ音、発光出力等が行われるとともに、腕時計５０の表示部５４にＨＳ１接続通知の表示が行われる（ステップＪ５：リンク状態通知手段）。ユーザは、このような報知動作や接続通知の表示によってヘッドセット１０が使用可能になったことを確実に認識することができる。
【００３８】
また、このとき、マイクロコンピュータ５１内のＣＰＵによりＲＡＭ５１のデータ格納領域５１ｂａに、ＨＳ１の接続フラグ情報として有効値がセットされる。
【００３９】
そして、この状態で、例えば基地局７０から着信呼出信号Ｐ２が携帯電話３０に送られると、携帯電話３０で着信動作が行われるとともに短距離無線通信を介して着信呼出警告情報Ｐ３が腕時計５０に送られる。そして、これにより腕時計５０では報知部６０の駆動や表示出力により着信呼出の報知動作がなされる（ステップＪ６）。ここで、ユーザが着信呼出の報知動作を受けて操作部５９を介して受話操作を行うと（ステップＪ７）、腕時計５０から携帯電話３０へ受話コマンドＰ４が送られて、これにより携帯電話３０のマイクロコンピュータ３１が着信応答の処理を実行し、受話と通話の処理が開始される（ステップＪ８）。
【００４０】
このとき、携帯電話３０とヘッドセット１０とは通信リンクが確立した状態にあるので、短距離無線通信により音声バスが形成されて（状態Ｓ３）、ヘッドセット１０において通話処理が可能となる（ステップＪ９）。図示は省略するが、その後、携帯電話３０の通話が相手先から切断されたり、或いは、腕時計５０の操作により通話を切断したりした場合には、携帯電話３０の通話処理が終了され、それにより、ヘッドセット１０と携帯電話３０との間に形成された音声バスの構成も解除される。
【００４１】
次に、ユーザが、例えばヘッドセット１０を暫く使用しないと判断して電源スイッチ１９をオフ操作したとする（ステップＪ１０）。すると、携帯電話３０とヘッドセット１０との間で、所定周期で実行されている接続確認の交信が途切れ、それにより、携帯電話３０のマイクロコンピュータ３１の制御動作が実行されてヘッドセット１０との通信リンクが解除される（状態Ｓ４）。さらに、このとき、携帯電話３０のマイクロコンピュータ３１は、通信ネットワークを介して腕時計５０へ第１ヘッドセット１０の接続を解除したことを示すＨＳ１解除通知Ｐ５が送信される。
【００４２】
そして、このＨＳ１解除通知Ｐ５が腕時計５０に受信されると、腕時計５０のマイクロコンピュータ５１が制御処理を行って、報知部６０が駆動されるとともに、表示部５４を介して接続解除情報の表示出力が行われる（ステップＪ１１：リンク状態通知手段）。これにより、ユーザはヘッドセット１０の接続解除が完了したことを確実に認識することができる。また、このとき、腕時計５０におけるＲＡＭ５１のデータ格納領域５１ｂａには、ＨＳ１の接続フラグ情報として無効値がセットされて、接続解除の情報が記憶される。
【００４３】
［第２の動作例］
図４には、携帯電話３０とヘッドセット１０との通信ネットワークへ後から腕時計５０を参加させた場合の処理の流れを表わしたシーケンス図を示す。
【００４４】
第２の動作例は、携帯電話３０とヘッドセット１０との間に通信リンクが確立されている一方（状態Ｓ１１）、腕時計５０の短距離無線通信機能がオフにされている状態など、腕時計５０が通信ネットワークに接続されていない状態を初期状態としたものである。この状態において、例えば、ユーザが、腕時計５０を通信ネットワークに接続させるために、その操作部５９を操作して短距離無線通通信機能をオン作動させ（ステップＪ１２）、且つ、携帯電話３０を操作して腕時計５０を通信ネットワークへ参加させるための呼び出し処理を開始させたとする（ステップＪ１４）。
【００４５】
このような操作が行われると、携帯電話３０と腕時計５０との間で呼び出し処理と呼び出し検索処理が実行されて、腕時計５０が携帯電話３０の接続要求に短距離無線通信を介して応答する。そして、両者間で接続認証の処理等が行われて、腕時計５０が通信ネットワークへ接続される（状態Ｓ１２）。
【００４６】
携帯電話３０では、マイクロコンピュータ３１のＣＰＵが実行する制御プログラムによって、腕時計５０が新たに通信ネットワークに参加した場合に、現在のヘッドセット１０の接続状況を腕時計５０へ通知する処理ステップが実行されるようになっている。この処理ステップにより、携帯電話３０のマイクロコンピュータ３１は、上記のように腕時計５０が新たに通信ネットワークに参加した場合に、現在のヘッドセット１０の接続状況を示す通知情報Ｐ１１を腕時計５０に送信する。図４の例では第１ヘッドセット１０が接続状態にあるのでＨＳ１接続有り通知情報Ｐ１１を腕時計５０に送信している。
【００４７】
ここで、何れのヘッドセットの接続もなされていないような場合には、接続なしの通知情報が腕時計５０に送信されて、腕時計５０においてヘッドセットの接続なしの状況が認識される。なお、何れのヘッドセットの接続もなされていないような場合に、何れの接続通知情報も送信しないことで、腕時計５０がヘッドセットの接続なしの状況を認識するような構成としても良い。
【００４８】
腕時計５０にヘッドセットの接続状況の通知がなされたら、腕時計５０のマイクロコンピュータ５１は報知部６０を駆動して報知動作を行わせるとともに、腕時計５０の表示部５４に通知されたヘッドセットの接続状況に関する表示出力を行う（ステップＪ１５）。  また、このとき、マイクロコンピュータ５１のＣＰＵはＲＡＭ５１のデータ格納領域５１ｂａ，５１ｂｂに、ヘッドセットの接続情報に応じたフラグ値をセットする。図４の例では、ＨＳ１接続有り通知情報Ｐ１１に基づいて、格納領域５１ｂａのＨＳ１接続フラグに有効値が、格納領域５１ｂｂのＨＳ２接続フラグに無効値が格納される。
【００４９】
以上のような処理によって、携帯電話３０とヘッドセット１０と腕時計５０とが同一の通信ネットワークに接続された状態となる。その後、例えば、基地局７０から着信呼出信号Ｐ２が携帯電話３０に送信された場合には、図３の処理シーケンスの信号Ｐ２の送信以降の処理と同様の処理が実現される。
【００５０】
［第３の動作例］
図５には、ヘッドセット１０と腕時計５０と携帯電話とが通信ネットワークに接続された状態で携帯電話へメール受信があった場合の処理の流れの一例を表わしたシーケンス図を、図６には、この処理中に腕時計５０の表示部５４に表示されるメール文の状態を示す画像図の一例を示す。
【００５１】
第３の動作例は、例えば、図３に示した第１の動作例と同様に、先ず、ステップＪ１〜Ｊ５の処理やデータＰ０，Ｐ１の送受信によって、携帯電話３０腕時計５０とヘッドセット１０とが通信ネットワークに接続された状態で、基地局７０から携帯電話３０にメール着信があった場合を示している。
【００５２】
携帯電話３０と腕時計５０とヘッドセット１０が、それぞれ通信ネットワークに接続された状況で、基地局７０から携帯電話３０にメール着信があって携帯電話３０にメールデータＰ２１が送信された場合、先ず、携帯電話３０は自動的にこのメールデータＰ２１の受信を行うとともに（ステップＪ２１）、受信したものと同様のメールデータＰ２２を腕時計５０に転送する（ステップＪ２２：メール情報送信手段）。なお、このメール転送の処理は、例えば、携帯電話３０の動作設定によりオン・オフを切り替えられるように構成すると良い。
【００５３】
メールデータＰ２２が腕時計５０に送信されると、腕時計５０のマイクロコンピュータ５１は、これを受信する処理を行うとともに、メールデータＰ２２の受信が完了したら、報知部６０を作動させてユーザにメール受信の報知動作を行う。さらに、受信したメールデータに基づき表示部５４にメール文を表示出力させる（ステップＪ２３：メール表示手段）。このような処理によって、ユーザはメール受信を知ることができ、さらに、腕時計５０の表示部５４を見ることで、図６に示すような、メール文の一部（送信者、件名、メール本分の頭部分など）の表示を確認することができる。但し、メール文が長い場合などは、腕時計５０の表示部５４から外れた範囲５４Ｂのメール文は煩雑なスクロール操作を行わないとすぐには確認することができない。
【００５４】
ユーザは、メール文の一部を確認して、メールの全文を読みたいと思った場合、腕時計５０の操作部５９を介して読み上げ実行の操作を行う（ステップＪ２４）。すると、腕時計５０から携帯電話３０へ読み上げコマンドＰ２３が送信され、携帯電話３０のマイクロコンピュータ３１が、この読み上げコマンドＰ２３に基づいて、先に転送したメール文の音声読み上げ処理を実行する（ステップＪ２５：メール読上げ手段）。すなわち、メール文を各単語に分割して各単語ごとの音声データを作成しこれらをつなげてメール文読み上げ用の音声データを合成する。そして、この音声データの出力処理を行う。
【００５５】
このとき携帯電話３０とヘッドセット１０との通信リンクが確立した状態にあると、短距離無線通信により音声バスが形成され（状態Ｓ３）、この音声バスを介してヘッドセット１０へ音声データが転送される。それにより、ヘッドセット１０においてメール文読み上げの音声出力が行われる（ステップＪ２６）。ユーザは、このメール文読み上げ音声を、ヘッドセット１０を介して聞くことで、腕時計５０の表示部５４の一画面の表示では得られないメール全文の内容を音声により確認することができる。
【００５６】
以上のように、この実施の形態の電子システムおよびその腕時計５０によれば、腕時計５０を操作してヘッドセット１０との接続操作（図３のステップＪ３）を行うことで、携帯電話３０を操作することなく、携帯電話３０とヘッドセット１０との通信リンクを確立させることができる。また、通信ネットワークへヘッドセット１０が参加した際や、接続が解除された際、或いは、通信ネットワークへの腕時計５０を参加させた際などに、腕時計５０の報知部６０が作動するとともに、その表示部５４にヘッドセット１０の接続状況が表示されるので、ユーザはこれらによってヘッドセット１０の接続状況を確実に認識することができる。
【００５７】
従って、例えば、携帯電話３０をカバンにしまっていたり手に持てない状況であっても、ヘッドセット１０と腕時計５０とを身に付けていれば、腕時計５０を操作して携帯電話３０とヘッドセット１０との通信リンクを確立させ、ヘッドセット１０を介した通話を可能としたり、ヘッドセット１０の電源スイッチ１９を頻繁に切り換えている状況であっても、現在、ヘッドセット１０と携帯電話３０との通信リンクの状態がどうなっているのか確認することが可能となる。
【００５８】
また、携帯電話３０に電子メールが受信された場合においても、腕時計５０の動作によりメール受信やメール内容の一部を確認することができるとともに、必要があれば、携帯電話３０を操作することなく、メール文の内容を、ヘッドセット１０を介して音声で聞くことも可能となる。従って、携帯電話３０をカバンにしまい込み手に持っていない状況であっても、携帯電話３０に受信された電子メールを音声で適宜に確認することができる。
【００５９】
なお、本発明は、上記実施の形態に限られるものではなく、様々な変更が可能である。例えば、上記実施形態では、腕時計５０の操作により指定のヘッドセット１０の接続要求が行われるようになっているが、指定なく任意のヘッドセットの接続要求がなされるようにしても良い。また、腕時計５０によりヘッドセットの接続状況をユーザに通知する形態は、報知動作のみとしたり、或いは、表示出力のみとしたりするなど適宜変更可能である。
【００６０】
また、上記実施の形態では、腕装着型端末として腕時計５０を例示しているが、時計機能のない端末としても良い。また、上記実施の形態では、短距離無線通信としてブルートゥース通信を例示したが、例えばWibree（ワイブリー：フィンランドの会社.が提唱する近距離向け無線規格）やZigBee（ジグビー：家電向けの短距離無線通信規格）などの各種の省電力短距離無線通信を適用することもできるし、また、独自規格の短距離無線通信や、短距離無線通信以外の他の無線通信を適用することも出来る。その他、上記の実施形態で示した細部等は発明の趣旨を逸脱しない範囲で適宜変更可能である。
【図面の簡単な説明】
【００６１】
【図１】本発明の実施形態に係る携帯電話機と腕時計とヘッドセットの内部構成を示すブロック図である。
【図２】腕時計の記憶部に格納されるデータの一部を示すデータ構成図である。
【図３】腕時計の操作により携帯電話とヘッドセットとの通信リンクを確立させて通話を行う処理の流れを示したシーケンス図である。
【図４】携帯電話とヘッドセットとの通信ネットワークへ後から腕時計を参加させた場合の処理の流れを示したシーケンス図である。
【図５】携帯電話へメール受信があった場合の処理の流れを示したシーケンス図である。
【図６】メール受信時における腕時計でのメール表示の一例を示した画像図である。
【符号の説明】
【００６２】
１０    ヘッドセット
１２    ＲＦ回路（無線通信手段）
１３    ベースバンド回路（無線通信手段）
３０    携帯電話
３５    ベースバンド回路（第２無線通信手段）
３６    無線通信用ＲＦ回路（第２無線通信手段）
３７    対基地局用ＲＦ回路（第１無線通信手段）
３８    ベースバンド回路（第１無線通信手段）
５０    腕時計（腕装着型端末）
５４    表示部
５６    ＲＦ回路（無線通信手段）
５７    ベースバンド回路（無線通信手段）
５９    操作部
６０    報知部
７０    基地局
【図１】
0004985527.tif 000002
【図２】
0004985527.tif 000003
【図３】
0004985527.tif 000004
【図４】
0004985527.tif 000005
【図５】
0004985527.tif 000006
【図６】
0004985527.tif 000007